(57)【特許請求の範囲】
【請求項１】
通常モードの実行中に入力される第１の識別情報、又は該通常モードより消費電力の低い低消費電力モードの実行中に前記通常モードへの復帰の指示が入力される場合に入力される第２の識別情報を取得する識別情報取得手段と、
前記第２の識別情報に基づいて、前記復帰移行の後に表示手段に表示する操作画面を制御する表示画面制御手段と、
前記第１の識別情報と前記第２の識別情報を照合し、前記第２の識別情報の正当性の有無を判断する照合手段と、
を有し、
前記表示画面制御手段は、前記第２の識別情報の正当性判断に基づいて、前記低消費電力モードへの移行の指示が入力される直前に実行中の前記通常モードの操作画面を前記表示手段に表示させることを特徴とする画像処理装置。
【請求項２】
前記表示画面制御手段は、前記復帰移行の際に、前記第２の識別情報が正当性を有しないと判断される場合、及び、前記復帰移行の際に、前記第２の識別情報が入力されない場合に、所定の操作画面を前記表示手段に表示させることを特徴とする請求項１記載の画像処理装置。
【請求項３】
前記所定の操作画面は、当の画像処理装置が電源を投入された後に最初に表示される操作画面であることを特徴とする請求項２記載の画像処理装置。
【請求項４】
前記第１の識別情報を記憶する第１の記憶手段を更に備え、
前記照合手段は、前記第１の記憶手段に記憶された前記第１の識別情報と前記識別情報取得手段により取得された前記第２の識別情報とを照合する請求項１ないし３何れか一項に記載の画像処理装置。
【請求項５】
直前の前記通常モードの実行中に前記省エネ移行の指示が入力される直前の操作画面の情報である直前画面情報を記憶する第２の記憶手段を有することを特徴とする請求項４に記載の画像処理装置。
【請求項６】
前記低消費電力モードの際に、前記識別情報取得手段、前記照合手段、前記第１の記憶手段を有する操作部に電力を供給し、さらに、前記表示画面制御手段、前記第２の記憶手段、及び、前記操作部とのインタフェースを行うインタフェース手段を有する実行制御部の、前記インタフェース手段に電力を供給する制御手段を有することを特徴とする請求項５記載の画像処理装置。
【請求項７】
通常モードの実行中に入力される第１の識別情報、又は該通常モードより消費電力の低い低消費電力モードの実行中に前記通常モードへの復帰の指示が入力される場合に入力される第２の識別情報を取得する識別情報取得ステップと、
前記第２の識別情報に基づいて、前記復帰移行の後に表示手段に表示する操作画面を設定する表示画面設定ステップと、
前記第１の識別情報と前記第２の識別情報を照合し、前記第２の識別情報の正当性の有無を判断する照合ステップと、
を有し、
前記表示画面設定ステップでは、前記第２の識別情報の正当性判断に基づいて、前記低消費電力モードへの移行の指示が入力される直前に実行中の前記通常モードの操作画面を前記表示手段に表示させることを特徴とする画像処理装置の制御方法。
【発明の詳細な説明】
【技術分野】
【０００１】
本発明は、画像処理装置、及び、画像処理装置の制御方法に関する。
【背景技術】
【０００２】
従来から、画像形成装置では、印刷等のジョブの指示待ちの間の電力の消費を低減するために、一定の間、ジョブの指示等が無い場合には、通常の電力モードよりも消費電力の低い低消費電力モードに移行する技術がある。低消費電力モードでは、例えば、プロッタやスキャナ等のエンジン部への電力の供給を停止する。
【０００３】
低消費電力モードの際には、制御部において、メモリ（ＤＲＡＭ）にのみ電力を供給し、かつ、メモリをリフレッシュモードにすることにより、消費電力を低減することができる。
【０００４】
例えば、特許第４３０１３９０号公報（特許文献１）に記載の画像形成装置等では、スタンバイモードにおいて、操作部から入力される信号を監視するセンサの検出信号の監視を終了した後に、センサへの給電を停止する。これにより、スタンバイモードから休止モードへ移行する設定時間を比較的長くしても無駄な電力消費が抑制される。
【０００５】
また例えば、特開２００２−２４４５０２号公報（特許文献２）に記載の画像形成装置等の発明では、スタンバイモードから休止モードに移行する際に、２段階の通電停止を行う。先ず、人体検知手段によりオペレータの存在を検出している場合には、操作部の表示はそのままで、定着装置のヒータへの通電を止める。さらに、そこから一定の時間を経過した場合には、操作部の表示を消す。
【０００６】
特許文献２に記載の画像形成装置は、操作中に操作者が手を止めて他の作業を行っている間に、休止モードに移行する場合に、操作途中の表示画面が初期化される不便を軽減する。
【０００７】
なお、上記特許文献１及び２の「スタンバイモード」は、「通常モード」に対応し、「休止モード」は、「低消費電力モード」に対応する。
【発明の概要】
【発明が解決しようとする課題】
【０００８】
しかしながら、上記特許文献１及び２に記載の画像形成装置等の発明では、低消費電力モードから通常モードに復帰する際の、操作部の表示画面の内容については、考慮されていない。
【０００９】
例えば、操作者が操作中に一旦操作を停止することにより、低消費電力モードに移行した場合に、通常モードに復帰する際には、直前の通常モードの最後の操作画面になる画像形成装置がある。この例では、低消費電力モードに移行する前の操作者と、通常モードに復帰させる操作を行った操作者とが、異なる場合に、復帰させる操作者にとっては、一旦初期表示画面等に戻す手間が生じる。
【００１０】
また、低消費電力モードから通常モードに復帰する際に、初期表示画面が表示される画像形成装置の例では、操作を停止した操作者にとっては、再び、操作を最初からやり直さなくてはならず、利便性に欠ける。
【００１１】
本発明は、上記の点に鑑みて、これらの問題を解消するために発明されたものであり、低消費電力モードから通常モードに復帰する際の表示画面を、好適に制御する画像処理装置、及び、画像処理装置の制御方法を提供することを目的としている。
【課題を解決するための手段】
【００１２】
上記目的を達成するために、本発明の画像処理装置は次の如き構成を採用した。本発明の画像処理装置は、通常モードの実行中に入力される第１の識別情報、又は該通常モードより消費電力の低い低消費電力モードの実行中に前記通常モードへの復帰の指示が入力される場合に入力される第２の識別情報を取得する識別情報取得手段と、前記第２の識別情報に基づいて、前記復帰移行の後に表示手段に表示する操作画面を制御する表示画面制御手段と、前記第１の識別情報と前記第２の識別情報を照合し、前記第２の識別情報の正当性の有無を判断する照合手段と、を有し、前記表示画面制御手段は、前記第２の識別情報の正当性判断に基づいて、前記低消費電力モードへの移行の指示が入力される直前に実行中の前記通常モードの操作画面を前記表示手段に表示させることを特徴とする。
【００１３】
これにより、低消費電力モードから通常モードに復帰する際の表示画面を、好適に制御する画像処理装置、及び、画像処理装置の制御方法を提供することができる。
【００１４】
なお、上記課題を解決するため、本発明は、上記画像処理装置の制御方法としてもよい。
【発明の効果】
【００１５】
本発明の画像処理装置及び画像処理方法によれば、低消費電力モードから通常モードに復帰する際の表示画面を、好適に制御する画像処理装置、及び、画像処理装置の制御方法を提供することが可能になる。
【図面の簡単な説明】
【００１６】
【図１】図１は、本実施の形態に係る画像形成装置の機能構成の例を示すブロック図である。
【図２】図２は、本実施形態の画像形成装置のハードウェア構成の例を示す図である。
【図３】図３は、操作制御部６００の機能構成の詳細を示す図である。
【図４】図４は、実行制御部１００のハードウェア構成の例を示す図である。
【図５】図５は、操作制御部６００と実行制御部１００とのインタフェース部の詳細を説明する図である。
【図６】図６は、電源投入時、及び、復帰移行の後の表示画面を制御する処理を説明するフロー図である。
【図７】図７は、操作者の情報を設定する処理の詳細を示すフロー図である。
【図８】図８は、省エネ移行の処理と復帰移行の処理とを説明するフロー図である。
【図９】図９は、復帰移行の処理の詳細を説明するフロー図である。
【発明を実施するための形態】
【００１７】
以下、本実施の形態を図面に基づき説明する。なお、以下の実施の形態では、画像形成装置の例について説明するが、本発明の実施の形態は、画像形成装置に限らない。装置内の一部にのみ電力を供給する低消費電力モードを有する画像処理装置であればよい。
【００１８】
〔本実施の形態〕
図１は、本実施の形態に係る画像形成装置の機能構成の例を示すブロック図である。図１の画像形成装置は、制御部１０、操作部６０、スキャナ部２０、プロッタ部３０、及び、電源供給部９０を有する。
【００１９】
操作部６０は、操作者が指示等を入力し、また、操作者に対する表示を行う。操作部６０は、入力手段６１、音声出力手段６２、表示手段６３、識別情報取得手段６４、照合手段６５、制御手段６６、記憶手段６８、及び、インタフェース手段６９を有する。
【００２０】
入力手段６１は、テンキーやタッチパネル等のキーからの入力を受け付け、要求の信号を生成する。音声出力手段６２は、制御部１０からの指示により、スピーカーからの音声出力を行う。表示手段６３は、制御部１０から送信される画面を表示する。
【００２１】
識別情報取得手段６４は、操作部６０から入力される操作者の識別情報を取得する。操作者の識別情報は、通常モードから低消費電力モードへ移行する「省エネ移行」の際に、操作部６０から入力される。識別情報は、また、操作者が一連の操作を行う際に、ジョブ等の指示を行う操作の前後又は途中で入力されてもよい。識別情報取得手段６４が取得した識別情報は、記憶手段６８に格納される。
【００２２】
照合手段６５は、記憶手段６８に記憶される識別情報と、識別情報取得手段６４が取得する識別情報と、を照合する。これにより、識別情報取得手段６４が取得した識別情報の正当性が判断される。
【００２３】
制御手段６６は、操作部６０が有する各部の制御を行う。識別情報取得手段６４、照合手段６５、及び、制御手段６６は、例えば、１つのＣＰＵとして設けられてもよい。
【００２４】
記憶手段６８は、入力手段６１から入力される識別情報を記憶する。記憶手段６８は、制御手段６６が実行するコンピュータプログラムを記憶する。記憶手段６８は、制御手段６６が、コンピュータプログラムを実行する際のワークメモリでもよい。記憶手段６８は、例えば、ハードディスク装置、ＲＡＭ、又は、ＲＯＭである。
【００２５】
インタフェース手段６９は、制御部１０との信号の送受信を行う。
【００２６】
制御部１０は、画像形成装置の各部の制御を行う。制御部１０は、電源供給部９０から各部に対する給電を制御する。制御部１０は、表示画面制御手段１３、制御手段１６、記憶手段１８、及び、インタフェース手段１９を有する。
【００２７】
表示画面制御手段１３は、操作部６０に表示される表示画面を制御する。表示画面制御手段１３は、記憶手段１８に記憶される画面の情報に基づいて、操作部６０が表示する画面を選択又は生成する。
【００２８】
表示画面制御手段１３は、低消費電力モードから通常モードへ移行する「復帰移行」の際に、通常モードに戻った後に表示される操作画面の制御を行う。より詳細には、表示画面制御手段１３は、照合手段６５が照合した識別情報の正当性がある場合には、直前の省エネ移行の前に表示されている操作画面を表示させる。表示画面制御手段１３は、照合手段６５が照合した識別情報の正当性がない場合には、所定の操作画面を表示させる。所定の操作画面とは、例えば、画像形成装置の電源投入後に、最初に表示される初期操作画面である。
【００２９】
制御手段１６は、制御部１０の各部の制御を行う。なお、表示画面制御手段１３と制御手段１６とは、例えば、１つのＣＰＵとして設けられてもよい。
【００３０】
記憶手段１８は、制御部１０により処理されるデータを記憶する。記憶手段１８は、表示手段６３に表示される画面の情報を記憶する。画面の情報は、例えば、画素がラスター順に並ぶ画像データ、又は、画面に表示する情報である。画面の情報は、また、表示手段６３が表示する操作画面の識別情報と、その識別情報に対応づけられる画像データ又は画面に表示する情報でもよい。
【００３１】
記憶手段１８は、また、制御部１０が制御を実行する際のワーキングメモリの機能を有してもよい。記憶手段１８は、例えば、ハードディスク装置、ＲＡＭ、又は、ＲＯＭである。
【００３２】
インタフェース手段１９は、操作部６０、スキャナ部２０、プロッタ部３０、及び、電源供給部９０等との信号の送受信を行う。
【００３３】
スキャナ部２０は、媒体上の画像を光学的に読み取って画像データを出力する。プロッタ部３０は、制御部１０の制御により、画像を媒体上に形成して出力する。
【００３４】
電源供給部９０は、制御部１０、操作部６０、スキャナ部２０、及び、プロッタ部３０に対し、電力を供給する。電源供給部９０は、制御部１０の制御により、給電を行う。
【００３５】
図２は、本実施形態の画像形成装置のハードウェア構成の例を示す図である。図２の画像形成装置は、外部電源９１０、スイッチ９２０、ＰＳＵ（Ｐｏｗｅｒ  Ｓｕｐｐｌｙ  Ｕｎｉｔ）９３０、ＦＥＴ（Ｆｉｅｌｄ  Ｅｆｆｅｃｔ  Ｔｒａｎｓｉｓｔｏｒ）９４２、ＦＥＴ９４３、スキャナ部２００、プロッタ部３００、実行制御部１００、ＬＣＤ１３０、操作制御部６００、操作パネル６１０、及び、スピーカー６２０を有する。
【００３６】
外部電源９１０は、画像形成装置に対して電力を供給する。スイッチ９２０は、画像形成装置に対して電力を供給すること、及び、電力の供給を停止することを決定する。ＰＳＵ９３０は、外部電源９１０から画像形成装置の内部に電力を供給する。
【００３７】
ＦＥＴ９４２は、スキャナ部２００に供給する電力を制御する。ＦＥＴ９４３は、プロッタ部３００に供給する電力を制御する。
【００３８】
実行制御部１００は、操作制御部６００からの指示に基づく処理を実行する。実行制御部１００は、スキャナ部２００及びプロッタ部３００を制御して、スキャナ部２００から読み取られた画像データを取得し、プロッタ部３００により画像を媒体上に形成して出力させる。
【００３９】
実行制御部１００は、また、ネットワークＩ／Ｆ及びＵＳＢ  Ｉ／Ｆを有し、これらにより、外部との通信を行う。
【００４０】
ＬＣＤ１３０は、画像を表示する。ＬＣＤ１３０に表示される画像は、例えば、実行制御部１００により処理され、スキャナ部２００で取得され、又は、プロッタ部３００から出力される画像データの画像である。また、図示してはいないが、ＬＣＤ１３０にはタッチパネルが搭載されており、タッチパネルの制御を実行制御部１００で行うことで、タッチパネルからの情報を実行制御部１００に入力することができる。
【００４１】
操作制御部６００は、操作パネル６１０から入力される信号を実行制御部１００に出力する。この信号は、処理の要求等の信号である。操作制御部６００は、また、操作パネル６１０に画像を表示させ、操作パネル６１０が有するＬＥＤ等の点灯・消灯を制御する。操作制御部６２０は、また、スピーカー６２０から音声を出力させる。
【００４２】
操作パネル６１０は、キー又はタッチパネル等から入力される信号を操作制御部６００に出力する。操作パネル６１０は、表示部を有してもよい。操作パネル６１０の表示部は、画像形成装置の状態等を表示し、また、処理する画像を表示してもよい。スピーカー６２０は、音声を出力する。
【００４３】
スキャナ部２００は、画像を光学的に読み取って画像データを出力する。プロッタ部３００は、媒体上に画像を形成して出力する。
【００４４】
なお、図２の画像形成装置は、図示しない、ファクシミリ制御部（以下、「ＦＣＵ」という。）を有してもよい。ＦＣＵは、公衆回線とファクシミリ通信を行う。ＦＣＵの電源はＰＳＵ９３０から供給される。
【００４５】
図３は、操作制御部６００の機能構成の詳細を示す図である。操作制御部６００は、キー入力受付手段６０１、音声出力手段６０２、表示手段６０３、ＲＯＭ６０４、ＲＡＭ６０５、制御手段６０８、及び、インタフェース手段６０９を有する。
【００４６】
キー入力受付手段６０１は、操作パネル６１０のキーから入力される信号を受け付ける。キー入力受付手段６０１は、操作パネル６１０上でキーが押下られた際に、チャッタリング除去を行い、信号を出力する。
【００４７】
音声出力手段６０２は、スピーカー６２０から音声を出力させる。表示手段６０３は、操作パネル６１０上のＬＥＤの点灯及び消灯を制御する。表示手段６０３は、また、操作パネル６１０に画像を表示させてもよい。
【００４８】
制御手段６０８は、操作制御部６００の各部の制御を行う。制御手段６０８は、ＲＯＭ６０４に格納されるコンピュータプログラムを実行することにより、制御の機能を実現する。
【００４９】
インタフェース手段６０９は、実行制御部１００との信号の送受信を行う。ＲＯＭ６０４は、制御手段６０８が実行するコンピュータプログラム等を格納する。ＲＯＭ６０４は、例えば、フラッシュＲＯＭである。ＲＡＭ６０５は、制御手段６０８がコンピュータプログラムを実行する際のワークメモリである。ＲＯＭ６０４、ＲＡＭ６０５，及び制御手段６０８は一つのＣＰＵとして設けられても良い。
【００５０】
図４は、実行制御部１００のハードウェア構成の例を示す図である。図４の実行制御部１００は、ＡＳＩＣ１１０、ＣＰＵ１８１、ＲＯＭ１８２、ＨＤＤ１８３、ネットワーク物理層制御部（以下、「ＰＨＹ」という。）１６０、ＰＨＹクロック生成部１６１、クロック生成部１４０、ＤＤＲ−ＳＤＲＡＭ（以下、「ＤＤＲ」という。）１８５、ボード電力制御部１９１、及び、外部電力制御部１９２を有する。
【００５１】
ＡＳＩＣ１１０は、実行制御部１００の各部、及び、実行制御部１００の外部とのインタフェースを有し、実行制御部１００の内部に対する電力供給を制御する。
【００５２】
ＡＳＩＣ１１０は、電力制御部（以下、「ＰＭ」という。）１１１、ＭＥＭ  Ｉ／Ｆ１１２、レジスタ１１８、ＯＰＵ  Ｉ／Ｆ１１９、ＣＰＵ  Ｉ／Ｆ１２４、ＲＯＭ  Ｉ／Ｆ１２５、ＨＤＤ  Ｉ／Ｆ１２６、ＵＳＢ制御部１２７、ネットワーク論理層制御部（以下、「ＭＡＣ」という。）１２８、及び、ＬＣＤ  Ｉ／Ｆ１２９を有する。
【００５３】
ＰＭ１１１は、ＡＳＩＣ１１０が有する各部の電力供給を制御する。ＰＭ１１１は、また、ボード電力制御部１９１を制御して、実行制御部１００が設けられている基板上の電力を制御する。ＰＭ１１１は、さらに、外部電力制御部１９２の制御を行う。
【００５４】
ＭＥＭ  Ｉ／Ｆ１１２は、ＤＤＲ１８５とのインタフェースである。レジスタ１１８は、一時記憶手段である。ＯＰＵ  Ｉ／Ｆ１１９は、操作制御部６００とのインタフェースである。
【００５５】
ＰＣＩ  Ｉ／Ｆ１２３は、ＰＣＩバスによる内部バスとのインタフェースであり、スキャナ部２００、プロッタ部３００、及び、ＦＣＵ等との通信を行う。
【００５６】
ＣＰＵ  Ｉ／Ｆ１２４は、ＣＰＵ１８１とのインタフェースである。ＲＯＭ  Ｉ／Ｆ１２５は、ＲＯＭ１８２とのインタフェースである。ＨＤＤ  Ｉ／Ｆ１２６は、ＨＤＤ１８３とのインタフェースである。
【００５７】
ＵＳＢ制御部１２７は、画像形成装置の外部とのＵＳＢ接続を実現する。ＭＡＣ１２８は、ＰＨＹ１６０とのインタフェースであり、ネットワーク通信の物理層との接続を行う。ＬＣＤ  Ｉ／Ｆ１２９は、ＬＣＤ１３０とのインタフェースで、ＬＣＤ１３０のタッチパネルの制御を行う。
【００５８】
ＣＰＵ１８１は、実行制御部１００の各部を制御する。ＲＯＭ１８２は、ＣＰＵ１８１が実行するコンピュータプログラムを記憶する。ＨＤＤ１８３は、画像データを記憶する。ＨＤＤ１８３は、また、ＣＰＵ１８１が実行するコンピュータプログラムを記憶してもよい。ＤＤＲ１８５は、ＣＰＵ１８１が、コンピュータプログラムを実行する際のワークエリアの機能を実現する。
【００５９】
ボード電力制御部１９１は、実行制御部１００が設けられている基板上の各部への電力供給を制御する。外部電力制御部１９２は、スキャナ部２００、プロッタ部３００、及び、ＬＣＤ１３０の電力供給を制御する。また、外部電力制御部１９２はＬＣＤ１３０のバックライトの制御をする。
【００６０】
ＰＨＹ１６０は、ネットワークを介して接続される他の装置との通信を行う。ＰＨＹ１６０は、物理層の制御を行う。ＰＨＹクロック生成部１６１は、ネットワーク通信の際のクロックを生成して、ＰＨＹ１６０に供給する。
【００６１】
クロック生成部１４０は、実行制御部１００の全体のクロックを生成して、各部に供給する。
【００６２】
ＣＰＵ１８１、ＲＯＭ１８２、ＨＤＤ１８３、ＰＨＹ１６０、及び、ＰＨＹクロック生成部１６１は、Ｐｏｗｅｒ  Ｏｎ  Ａｒｅａに含まれる。また、ＡＳＩＣ１１０のうち、ＰＭ１１１、ＭＥＭ  Ｉ／Ｆ１１２、レジスタ１１８、及び、ＯＰＵ  Ｉ／Ｆ１１９が、Ｐｏｗｅｒ  Ｏｎ  Ａｒｅａに含まれる。
【００６３】
Ｐｏｗｅｒ  Ｏｎ  Ａｒｅａは、低消費電力モードの際にも、電力が供給される。その他の各部は、低消費電力モードの際に、電力の供給が停止する。これにより、低消費電力モードの際には、ネットワーク通信、及び、操作パネル６１０からの入力を受け付ける等の機能が実現されており、その他の機能は停止する。
【００６４】
Ｐｏｗｅｒ  ｏｎ  Ａｒｅａは、第１のリセット手段によりリセットされる。その他の領域は、第２のリセット手段によりリセットされる。なお、第１のリセット手段及び第２のリセット手段については、後述する。
【００６５】
図５は、操作制御部６００と実行制御部１００とのインタフェース部の詳細を説明する図である。操作制御部６００と実行制御部１００とのインタフェースは、操作制御部６００のインタフェース手段６０９、及び、実行制御部１００のＯＰＵ  Ｉ／Ｆ１１９により実現される。
【００６６】
インタフェース手段６０９は、ＧＩＯ（Ｇｅｎｅｒａｌｉｚｅｄ  ｉｎｐｕｔ／ｏｕｔｐｕｔ  Ｃｏｎｔｒｏｌｌｅｒ）６０９１、及び、Ｉ２Ｃ  Ｉ／Ｆ６０９２を有する。また、ＯＰＵ  Ｉ／Ｆ１１９は、ＧＩＯ１１９１、及び、Ｉ２Ｃ  Ｉ／Ｆ１１９２を有する。
【００６７】
ＧＩＯ６０９１とＧＩＯ１１９１とは、ＫＥＹＲＥＱ＿Ｎ及びＳＥＣ＿Ｎの２つの信号線により接続され、ＧＩＯ６０９１からＧＩＯ１１９１に対して信号が出力される。
【００６８】
Ｉ２Ｃ  Ｉ／Ｆ６０９２とＩ２Ｃ  Ｉ／Ｆ１１９２とは、ＳＣＬ及びＳＤＡの２つの信号線により接続される。操作制御部６００のＩ２Ｃ  Ｉ／Ｆ６０９２は、Ｓｌａｖｅ動作を行い、実行制御部１００のＩ２Ｃ  Ｉ／Ｆ１１９２は、Ｍａｓｔｅｒ動作を行う。
図５では、Ｉ２Ｃ  Ｉ／Ｆ１１９２をＭａｓｔｅｒ動作，Ｉ２Ｃ  Ｉ／Ｆ６０９２をＳｌａｖｅ動作としたが、Ｉ２Ｃ  Ｉ／Ｆ１１９２、Ｉ２Ｃ  Ｉ／Ｆ６０９２共にマルチマスター対応型にしてもよい。
【００６９】
なお、図１の機能構成と、図２ないし図５の構成との対応は、以下の通りである。「操作部６０」は、「操作制御部６００」、「操作パネル６１０」、「スピーカー６２０」、及び、「ＬＣＤ１３０」に対応する。「入力手段６１」は、「キー入力受付手段６０１」に対応する。「音声出力手段６２」は、「音声出力手段６０２」に対応する。「表示手段６３」は、「表示手段６０３」又は「ＬＣＤ１３０」に対応する。
【００７０】
「識別情報取得手段６４」、「照合手段６５」、及び、「制御手段６６」は、「制御手段６０８」に対応する。「記憶手段６８」は、「ＲＯＭ６０４」又は「ＲＡＭ６０５」に対応する。「インタフェース手段６９」は、「インタフェース手段６０９」に対応する。
【００７１】
「制御部１０」は、「実行制御部１００」に対応する。「表示画面制御手段１３」及び「制御手段１６」は、「ＣＰＵ１８１」に対応する。「記憶手段１８」は、「ＤＤＲ１８５」に対応する。「インタフェース手段１９」は、「ＰＣＩ  Ｉ／Ｆ１２３」、「ＵＳＢ制御部１２７」、「ＰＨＹ１６０」、「ＬＣＤ  Ｉ／Ｆ１２９」、及び、「ＯＰＵ  Ｉ／Ｆ１１９」の何れか一以上に対応する。
【００７２】
図６ないし図９は、本実施形態の画像形成装置における、電力制御を説明するフロー図である。図６は、電源投入時、及び、復帰移行の後の表示画面を制御する処理を説明するフロー図である。
【００７３】
図６のステップＳ１０１では、スイッチ９２０がＯＮされることにより、画像形成装置に対して電源が投入される。これにより、電源がＰＳＵ９３０に供給され、さらに、ＰＳＵ９３０から、ＦＣＵ、操作制御部６００、及び、実行制御部１００に電源が投入される。
【００７４】
ＦＣＵに電源が投入されると、公衆回線によるファクシミリ通信が可能になる。
【００７５】
操作制御部６００に電源が投入されると、操作制御部６００が有する図示しないリセット手段によるリセット信号が生成され、操作制御部６００の初期化が行われる。これにより、インタフェース手段６０９が初期化され、ＧＩＯ６０９１の出力信号であるＫＥＹＲＥＱ＿Ｎ及びＳＥＣ＿Ｎがインアクティブになる。
【００７６】
また、制御手段６０８は、ＲＯＭ６０４に記憶されているコンピュータプログラムを実行する。なお、制御手段６０８は、例えば、ＣＰＵとして構成される。
【００７７】
実行制御部１００に電源が投入されると、クロック生成部１４０、ＡＳＩＣ１１０、ＤＤＲ１８５、及び、図示しない第１のリセット手段に電力が供給される。これにより、クロック生成部１４０は、クロックを生成して、ＣＰＵ１８１、及び、ＡＳＩＣ１１０にクロックを出力する。
【００７８】
ＰＳＵ９３０からＡＳＩＣ１１０に対する電力供給がある間、ＡＳＩＣ１１０のＰｏｗｅｒ  Ｏｎ  Ａｒｅａに設けられている、ＰＭ１１１、ＭＥＭＩ／Ｆ１１２、レジスタ１１８、及び、ＯＰＵ  Ｉ／Ｆ１１９には、電力の供給が行われる。
【００７９】
ＡＳＩＣ１１０に対する電力の供給が開始されると、図示しない第１のリセット手段からの出力信号により、ＡＳＩＣ１１０内のＰｏｗｅｒ  Ｏｎ  Ａｒｅａに設けられている各部が初期化される。
【００８０】
ＰＭ１１１が初期化されると、ボード電力制御部１９１及び外部電力制御部１９２が初期化される。ボード電力制御部１９１は、ＡＳＩＣ１１０の外部のＰｏｗｅｒ  Ｏｎ  Ａｒｅａに設けられている各部に電力を供給する。これにより、ＰＨＹ１６０、ＰＨＹクロック生成部１６１、ＣＰＵ１８１、ＲＯＭ１８２、ＨＤＤ１８３、及び、図示しない第２のリセット手段に電力が供給される。
【００８１】
第２のリセット手段は、第２のリセット信号を生成し、Ｐｏｗｅｒ  Ｏｎ  Ａｒｅａに設けられているＰＨＹ１６０、及び、ＣＰＵ１８１に出力する。第２のリセット信号は、さらに、ＡＳＩＣ１１０内部のＰｏｗｅｒ  Ｏｎ  Ａｒｅａではない部分に設けられている、ＣＰＵ  Ｉ／Ｆ１２４、ＲＯＭ  Ｉ／Ｆ１２５、ＨＤＤ  Ｉ／Ｆ１２６、ＵＳＢ制御部１２７、ＭＡＣ１２８、及び、ＬＣＤ  Ｉ／Ｆ１２９に出力する。
【００８２】
外部電力制御部１９２は、ＦＥＴ９４２及びＦＥＴ９４３を制御する。これにより、スキャナ部２００及びプロッタ部３００に電力が供給される。外部電力制御部１９２は、さらに、ＬＣＤ１３０に電力を供給し、ＬＣＤ１３０のバックライトを点灯させる。
【００８３】
以上のステップＳ１０１の処理により、画像形成装置の全体に電力が供給され、通常モードになる。
【００８４】
ステップＳ１０１に続いてステップＳ１０２に進む。ステップＳ１０２では、ＣＰＵ１８１が、ＲＯＭ１８２に記憶されているコンピュータプログラムを、ＤＤＲ１８５に転送し、そのコンピュータプログラムの実行を開始する。
【００８５】
ＲＯＭ１８２からＤＤＲ１８５への転送は、ＭＥＭ  Ｉ／Ｆ１１２を経由する。ＭＥＭ  Ｉ／Ｆ１１２は、ＤＤＲ１８５に対するＩｎｔｅｒｎａｌ  Ｂｕｓからのデータの書き込みと読み出しを制御する。ＭＥＭ  Ｉ／Ｆ１１２は、また、ＰＭ１１１からのＤＤＲ１８５の２つの動作モードである通常モードとセルフリフレッシュモードとを制御する。セルフリフレッシュモードは、通常モードよりも消費電力が低いモードである。
【００８６】
そこで、ステップＳ１０１において、ＭＥＭ  Ｉ／Ｆ１１２を通常モードの動作に設定しておくことにより、ＲＯＭ１８２から転送されるコンピュータプログラムを、ＤＤＲ１８５に書き込むことができる。
【００８７】
ステップＳ１０２では、さらに、ＤＤＲ１８５に記憶されたコンピュータプログラムが実行されることにより、ＡＳＩＣ１１０の内部が初期化される。ＡＳＩＣ１１０の、ＰＭ１１１、ＭＥＭ  Ｉ／Ｆ１１２、ＯＰＵ  Ｉ／Ｆ１１９が初期化されると、その旨の信号をレジスタ１１８に書き込む。この信号により、ＣＰＵ１８１が再起動される際にも、ＡＳＩＣ１１０内部の再初期化は行われない。
【００８８】
ステップＳ１０２に続いてステップＳ１０３に進む。なお、ステップＳ１０３からステップＳ１０８は、ＣＰＵ１８１がコンピュータプログラムを実行することにより実現される識別情報取得手段６４、表示画面制御手段１３、及び、制御手段６０８がコンピュータプログラムを実行することにより実現される制御手段６６により、実行される。
【００８９】
ステップＳ１０３では、表示画面制御手段１３が、操作制御部６００から出力されるＳＥＣ＿Ｎが、アクティブか否かを判断する。電源が投入された後は、ステップＳ１０１において、図示しないリセット手段により、ＳＥＣ＿Ｎが初期化されているので、インアクティブである。また、省エネ移行前の操作者と異なる操作者により、復帰移行する場合にも、ＳＥＣ＿Ｎは、インアクティブである。
【００９０】
ＳＥＣ＿Ｎがアクティブの場合には、ステップＳ１０４に進み、ＳＥＣ＿Ｎが、アクティブではない場合、すなわち、ＳＥＣ＿Ｎがインアクティブの場合には、ステップＳ１０５に進む。
【００９１】
ステップＳ１０３に続くステップＳ１０４では、表示画面制御手段１３が、ＤＤＲ１８５に格納されている、省エネ移行の直前の操作画面の情報を用いて、表示する画面の画面情報を設定する。ステップＳ１０４の後は、ステップＳ１０９に進む。
【００９２】
一方、ステップＳ１０３に続くステップＳ１０５では、表示画面制御手段１３が、表示する画面の画面情報は、初期化後に表示される初期化画面とする。ステップＳ１０５に続いてステップＳ１０６に進み、制御手段１６が、レジスタに格納されている情報を確認する。レジスタに格納されている情報のうち、電源のＯＮ／ＯＦＦを示す情報が、「電源ＯＮ」の値を有する場合には、ステップＳ１０７に進む。「電源ＯＮ」の値を有しない場合には、ステップＳ１０９に進む。
【００９３】
ステップＳ１０６に続くステップＳ１０７では、操作部６０において、操作者の情報を設定する。ステップＳ１０７に続いてステップＳ１０８に進み、制御手段１６が、レジスタに格納される電源のＯＮ／ＯＦＦを示す情報の値を、「電源ＯＦＦ」に設定する。ステップＳ１０８の後は、ステップＳ１０９に進む。
【００９４】
ステップＳ１０４ないしステップＳ１０８の後に続くステップＳ１０９では、表示画面制御手段１３が、ＬＣＤ１３０に、ステップＳ１０４又はステップＳ１０５で設定された画面情報に基づく操作画面を表示させる。
【００９５】
図７は、操作者の情報を設定する処理の詳細を示すフロー図である。図７の処理は、図６のステップＳ１０７において、操作部６０により、実行される。
【００９６】
図７のステップＳ２０１では、制御手段６６が、Ｌｏｇｉｎキーが押されたか否かを判断する。Ｌｏｇｉｎキーが押された場合には、ステップＳ２０２に進み、Ｌｏｇｉｎキーが押されていない場合には、ステップＳ２０１の処理を繰り返す。
【００９７】
ステップＳ２０１に続くステップＳ２０２では、制御手段６６が、操作者に対して、識別情報の入力を促す画面を表示手段６３に表示させる。本実施の形態では、識別情報は、暗証番号であるが、他の識別情報でもよい。ステップＳ２０２では、さらに、音声出力手段６２から、暗証番号の入力を促す音声を出力させてもよい。
【００９８】
ステップＳ２０２に続いてステップＳ２０３に進み、入力手段６１から暗証番号が入力されたか否かを判断する。例えば、４桁の数字に続いて「＃」記号が入力されている場合には、暗証番号が入力されたと判断する。暗証番号が入力されている場合には、ステップＳ２０５に進み、暗証番号が入力されていない場合には、ステップＳ２０４に進む。
【００９９】
ステップＳ２０３に続くステップＳ２０４では、暗証番号の入力形式が違う旨の案内を、表示手段６３による表示、又は、音声出力手段６２による音声の出力により、行う。ステップＳ２０４の後は、ステップＳ２０１に戻って処理を繰り返す。
【０１００】
ステップＳ２０３に続くステップＳ２０５では、制御手段６６が、記憶手段６８に格納されている暗証番号を参照し、ステップＳ２０３で入力されている暗証番号が、登録済みか否かを判断する。登録済みの場合は、登録ユーザであると判断し、ステップＳ２０９に進む。登録済みではない場合には、ステップＳ２０６に進む。
【０１０１】
ステップＳ２０５に続くステップＳ２０６では、表示手段６３が、操作者に対し、ステップＳ２０３で入力されている暗証番号を登録するか否かの入力を促す画面を表示する。例えば、登録する場合には、テンキーの「１」を、登録しない場合には、テンキーの「０」の入力を促す。
【０１０２】
ステップＳ２０６に続いてステップＳ２０７に進み、ステップＳ２０６の画面に基づく入力手段６１からの入力の値が、「登録する」であるか否かを判断する。「登録する」の場合には、ステップＳ２０８に進み、そうではない場合には、ステップＳ２０１に進む。
【０１０３】
ステップＳ２０７に続くステップＳ２０８では、記憶手段６８に操作者の情報を記憶する。
【０１０４】
ステップＳ２０５又はステップＳ２０８に続いてステップＳ２０９に進み、記憶手段６８に記憶される操作者の情報に、ステップＳ２０３で入力されている暗証番号を対応づけて記憶させる。
【０１０５】
図８は、省エネ移行の処理と復帰移行の処理とを説明するフロー図である。図８のステップＳ１１１からステップＳ１１５は、省エネ移行の処理であり、ステップＳ１１６からステップＳ１１９は、復帰移行の処理である。
【０１０６】
ステップＳ１１１では、制御手段６０８により、操作パネル６１０へのキー入力の有無が確認される。より詳細には、操作パネル６１０へのキー入力があると、操作制御部６００のインタフェース手段６０９が有するＧＩＯ６０９１が、ＫＥＹＲＥＱ＿Ｎ信号をアクティブにし、実行制御部１００のＯＰＵ  Ｉ／Ｆ１１９が有するＧＩＯ１１９１が、それを割り込み処理等で検知する。
【０１０７】
ＣＰＵ１８１がコンピュータプログラムを実行することにより実現される制御手段１６は、ＧＩＯ１１９１がＫＥＹＲＥＱ＿Ｎ信号がアクティブになると、キー入力があったと判断する。一方、ＫＥＹＲＥＱ＿Ｎ信号がアクティブではない場合には、キー入力が無いと判断する。
【０１０８】
キー入力がある場合には、ステップＳ１１２に進み、キー入力が無い場合には、ステップＳ１１３に進む。
【０１０９】
ステップＳ１１２では、ＯＰＵ  Ｉ／Ｆ１１９が有するＩ２Ｃ  Ｉ／Ｆ１１９２からインタフェース手段６０９が有するＩ２Ｃ  Ｉ／Ｆ６０９２に対し、押されたキーのデータを転送するコマンドを送付する。操作制御部６００側では、転送するコマンドを受信した後、押されたキーのデータをＩ２Ｃ  Ｉ／Ｆ６０９２からＩ２Ｃ  Ｉ／Ｆ１１９２に対して出力する。
【０１１０】
実行制御部１００側では、ＣＰＵ１８１が、受信したキーのデータに基づく処理を実行する。押されたキーにより、表示画面を更新する場合には、ＤＤＲ１８５上の画面情報を更新する。更新された画面情報は、ＬＣＤ  Ｉ／Ｆ１２９により、ＬＣＤ１３０に転送され、新たな画面が表示される。
【０１１１】
一方、ステップＳ１１１に続くステップＳ１１３では、ＣＰＵ１８１のタイマー機能により計測される時間が、最後のキー入力から所定時間、経過しているか否かを判断する。所定時間が経過している場合には、ステップＳ１１４に進み、所定時間が経過していない場合には、ステップＳ１１１に戻って処理を繰り返す。
【０１１２】
ステップＳ１１４及びステップＳ１１５は、省エネ移行の処理である。ステップＳ１１４では、ＣＰＵ１８１が、ＭＥＭ  Ｉ／Ｆ１１２を介して、ＤＤＲ１８５に対し、セルフリフレッシュモードに移行する設定をする。ＤＤＲ１８５がセルフリフレッシュモードに移行することにより、消費電力を大幅に削減することができる。
【０１１３】
ステップＳ１１４に続いてステップＳ１１５に進み、ＣＰＵ１８１からＰＭ１１１に対し、ＤＤＲ１８５が、セルフリフレッシュモードに移行した旨を通知する。この通知に基づいて、ＰＭ１１１は、画像形成装置内部の電源を部分的にオフする。
【０１１４】
ＰＭ１１１は、ボード電力制御部１９１、外部電力制御部１９２、及び、ＡＳＩＣ１１０内部の電源を制御して部分的なオフを実現する。
【０１１５】
より詳細には、外部電力制御部１９２から、ＦＥＴ９４２及びＦＥＴ９４３を停止させ、スキャナ部２００及びプロッタ部３００の電源をオフにする。また、ＬＣＤ１３０への電源をオフにする。また、ボード電力制御部１９１から、ＰＨＹ１６０、ＰＨＹクロック生成部１６１、ＣＰＵ１８１、ＲＯＭ１８２、及び、ＨＤＤ１８３への電源をオフする。さらに、ＡＳＩＣ１１０内部のＰｏｗｅｒ  Ｏｎ  Ａｒｅａではない部分への電源をオフする。
【０１１６】
以上の処理により、低消費電力モードへの移行が完了する。低消費電力モードでは、操作制御部６００側への電力と、ＡＳＩＣ１１０内部のＰｏｗｅｒ  Ｏｎ  Ａｒｅａへの電力とは、供給されている。制御手段６０８を構成するＣＰＵは、ＣＰＵ１８１よりも、消費電力が小さいため、消費電力の低減を効率よく実現することができる。
【０１１７】
ステップＳ１１５に続いてステップＳ１１６に進み、復帰移行の処理が行われる。
【０１１８】
図９は、ステップＳ１１６の復帰移行の処理の詳細を説明するフロー図である。図９の処理は、操作部６０により実行される。図９のステップＳ３０１では、入力手段６１に対するキー入力の有無が確認される。キー入力がある場合には、ステップＳ３０２に進み、キー入力が無い場合には、ステップＳ３０１の処理を繰り返す。
【０１１９】
ステップＳ３０１に続くステップＳ３０２では、表示手段６３が、操作者に対する暗証番号の入力を促す画面を表示する。ステップＳ３０２では、また、音声出力手段６２が、音声により、暗証番号の入力を促してもよい。
【０１２０】
ステップＳ３０２に続いてステップＳ３０３に進み、制御手段６６が、暗証番号の入力の有無を確認する。例えば、４桁の数字に続いて記号「＃」が入力されることにより、暗証番号が入力されたと判断する。暗証番号が入力されている場合には、ステップＳ３０４に進み、暗証番号が入力されていない場合には、ステップＳ３０２に戻って処理を繰り返す。
【０１２１】
ステップＳ３０３に続くステップＳ３０４では、照合手段６５が、ステップＳ３０３で入力されている暗証番号が、記憶手段６８に記憶されているものと同一か否かを判断する。すなわち、入力された暗証番号の正当性を判断する。暗証番号が、記憶手段６８に記憶されている場合には、その暗証番号に対応づけられる操作者は、登録済みである。
【０１２２】
照合手段６５が、ステップＳ３０３で入力されている暗証番号が登録済みの操作者のものと判断する場合には、ステップＳ３０５に進み、そうではない場合には、ステップＳ３０８に進む。
【０１２３】
ステップＳ３０４に続くステップＳ３０５では、制御手段６６が、ＫＥＹＲＥＱ＿Ｎをアクティブにする。これにより、ＧＩＯ６０９１からＧＩＯ１１９１に出力されるＫＥＹＲＥＱ＿Ｎがアクティブになる。これにより、実行制御部１００側で、復帰移行を行う状態になったことを検知することができる。
【０１２４】
一方、ステップＳ３０４に続くステップＳ３０８では、表示手段６３が、暗証番号が登録されていない旨の表示を行う。ステップＳ３０８では、さらに、音声出力手段６２が、音声により、表示と同様の情報を出力してもよい。
【０１２５】
ステップＳ３０５に続いてステップＳ３０６に進み、照合手段６５が、ステップＳ３０３で入力されている暗証番号は、直前の省エネ移行の前に使用されていたものか否かを判断する。直前の省エネ移行前に使用されている場合には、ステップＳ３０７に進み、そうでなはい場合には、ステップＳ３０９に進む。
【０１２６】
ステップＳ３０７では、制御手段６６が、ＳＥＣ＿Ｎをアクティブにする。一方、ステップＳ３０９では、制御手段６６が、ＳＥＣ＿Ｎをインアクティブにする。ステップＳ３０７及びステップＳ３０９の処理により、実行制御部１００に伝えられるＳＥＣ＿Ｎの値が設定される。ＳＥＣ＿Ｎの値に基づいて、ＣＰＵ１８１が、ＤＤＲ１８５に格納されている画像の情報を選択することにより、復帰移行後の操作画面を好適に制御することができる。
【０１２７】
図８に戻り、ステップＳ１１６に続くステップＳ１１７では、ＧＩＯ１１９１が、ＫＥＹＲＥＱ＿Ｎがアクティブか否かを判断する。アクティブの場合には、ステップＳ１１８に進み、アクティブではない場合には、ステップＳ１１６に戻って処理を繰り返す。
【０１２８】
ステップＳ１１７に続くステップＳ１１８では、ＣＰＵ１８１が、ＰＭ１１１に復帰移行を通知する。ステップＳ１１８に続いてステップＳ１１９に進み、ＰＭ１１１が、低消費電力モード時に電源がオフになっていた箇所に、電源を入れる。ステップＳ１１９の処理の後、図６のステップＳ１０２に戻って処理を繰り返す。
【０１２９】
（コンピュータ等による実現）
なお、本発明の実施の形態に係る画像形成装置は、例えばパーソナルコンピュータ（ＰＣ）等で実現されてもよい。また、本発明の実施形態に係る画像形成装置の制御方法は、例えば、ＣＰＵがＲＯＭやハードディスク装置等に記憶されたプログラムに従い、ＲＡＭ等のメインメモリをワークエリアとして使用し、実行される。
【０１３０】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【０１３１】
以上のように、本発明にかかる画像形成装置は、省電力化に有用であり、特に、複合機に適している。
【符号の説明】
【０１３２】
１０   制御部
１３   表示画面制御手段
１６   制御手段
１８   記憶手段
１９   インタフェース手段
２０   スキャナ部
３０   プロッタ部
６０   操作部
６１   入力手段
６２   音声出力手段
６３   表示手段
６４   識別情報取得手段
６５   照合手段
６６   制御手段
６８   記憶手段
６９   インタフェース手段
９０   電源供給部
１００ 実行制御部
１１８ レジスタ
１２７ ＵＳＢ制御部
１４０ クロック生成部
１６０ ＰＨＹ
１６１ ＰＨＹクロック生成部
１９１ ボード電力制御部
１９２ 外部電力制御部
２００ スキャナ部
３００ プロッタ部
６００ 操作制御部
６０１ キー入力受付手段
６０２ 音声出力手段
６０３ 表示手段
６０４ ＲＯＭ
６０５ ＲＡＭ
６０８ 制御手段
６０９ インタフェース手段
６１０ 操作パネル
６２０ スピーカー
９１０ 外部電源
９２０ スイッチ
９３０ ＰＳＵ
９４２、９４３       ＦＥＴ
【先行技術文献】
【特許文献】
【０１３３】
【特許文献１】特許第４３０１３９０号公報
【特許文献２】特開２００２−２４４５０２号公報
【図１】
0005589372.tif 000002
【図２】
0005589372.tif 000003
【図３】
0005589372.tif 000004
【図４】
0005589372.tif 000005
【図５】
0005589372.tif 000006
【図６】
0005589372.tif 000007
【図７】
0005589372.tif 000008
【図８】
0005589372.tif 000009
【図９】
0005589372.tif 000010